(57)【要約】      （修正有）【課題】構造が簡単で安価であり、組立、分解、廃棄が容易で再封時の遮光性に優れる感光記録材料用包装箱を提供する。【解決手段】包装箱は、遮光性内装袋によって密封された感光記録材料を収容する本体部２０３と、感光記録材料の取り出し口に設けられる蓋体部２０５とが一体に形成され、再封機能を備えている。また蓋体部２０５には、開封した遮光性内装袋の開封側端部と一体に折り畳まれる挟持遮光フラップ２４７が設けられている。また挟持遮光フラップ２４７は前覆板２２３に接続される基端側挟持遮光フラップ２６１と、基端側挟持遮光フラップ２６１に接続される自由端側挟持遮光フラップ２６３とを備えることによって構成されている。【選択図】図２
2005289492.tif 000002
【特許請求の範囲】
【請求項１】
遮光性内装袋によって密封された感光記録材料を収容する本体部と、前記感光記録材料の取り出し口に設けられる蓋体部とが一体に形成された再封機能を備える包装箱であり、
前記蓋体部には、開封した遮光性内装袋の開封側端部と一体に折り畳まれる挟持遮光フラップが設けられていることを特徴とする感光記録材料用包装箱。
【請求項２】
請求項１において、前記蓋体部は、本体部の背板の上部端辺に接続される外覆天板と、外覆天板に接続される前覆板とを備えており、前記挟持遮光フラップは、前覆板に対して接続されていることを特徴とする感光記録材料用包装箱。
【請求項３】
請求項２において、前記挟持遮光フラップは、前覆板に対して接続され、前覆板と同程度の長さ寸法を有する基端側挟持遮光フラップを備えていることを特徴とする感光記録材料用包装箱。
【請求項４】
請求項３において、前記基端側挟持遮光フラップには、外覆天板と同程度の長さ寸法を有する自由端側挟持遮光フラップが接続されていることを特徴とする感光記録材料用包装箱。
【請求項５】
請求項２〜４のいずれか一項において、前記外覆天板の前面乃至前記本体部の前板上部の裏面には、弱粘着性で再剥離可能な粘着材が塗工乃至貼設されていることを特徴とする感光記録材料用包装箱。
【請求項６】
請求項１〜４のいずれか一項において、前記本体部の前板上部には、屈曲部に沿って開閉し得る補助開閉フラップが設けられていることを特徴とする感光記録材料用包装箱。
【請求項７】
請求項６において、前記補助開閉フラップには、前記前覆板に形成されている差込スリットに挿入される差込片が設けられていることを特徴とする感光記録材料用包装箱。
【発明の詳細な説明】
【技術分野】
【０００１】
本発明は、Ｘレイフィルム等の感光記録材料の包装に適した包装箱に係り、特に再封時の遮光性に優れる感光記録材料用包装箱に関する。
【背景技術】
【０００２】
Ｘレイフィルム等の感光記録材料を包装する包装箱として、従来は例えば図７（ａ）〜（ｃ）に示すようなものが使用されていた。
図７（ａ）に示すものは、包装箱本体３０１と蓋体３０３とが別体であり、包装箱本体３０１の上部に蓋体挿嵌部３０５が形成されていて、そこに蓋体３０３が挿嵌されるようになっている（特開平６−１８６６７９号公報：特許文献１）。
また図７（ｂ）に示すものは、包装箱本体３０７と蓋体３０９とが当初は一体となっており、リッパー部３１１を横方向に引き取ることにより蓋体３０９が包装箱本体３０７に対して回動可能となり蓋体３０９を開放できるようになっている（特開平８−１１４８８９号公報：特許文献２）。
更に図７（ｃ）に示すものは、包装箱本体３１３の上面側の一部の領域が折れ線３１５を介して上方へ折れ曲がることにより、蓋体３１７が上方へ開放できるようになっている（特開２００３−１５６８２０号公報：特許文献３）。
【０００３】
しかし図７（ａ）に示すものは、包装箱本体３０１が二重となっているため、展開図の面積が約２倍となり、経済性に劣る。またこのような包装箱を組み立てるには、専用機を新規に導入する必要があるため設備投資にも費用が掛かる。また図７（ｂ）に示すものは、一旦リッパー部３１１を引き取った後は、この部分での遮光性が十分に確保できないという問題がある。更に図７（ｃ）に示すものは、蓋体３１７を一旦開けると折れ線３１５に開く方向の癖がつくため、ロック機構がないと蓋体３１７を閉じても自然に蓋体３１７が開いてしまい、十分な遮光性を確保できないという問題がある。また、ロック機構があっても、開け方がわかりにくいうえ両手での作業が必要とされ、なおかつ繰り返して使用すると紙が疲労するという問題がある。
感光記録材料は内装袋に収納した状態で包装箱に収容される。そして使用時には、暗所にて内装袋から必要な枚数の感光記録材料が取り出され、残りの感光記録材料は内装袋に入れた状態で包装箱に再収容され保管される。ところが、内装袋の開封端から光が進入して保管時の感光記録材料にダメージを与えることがある。上記のような従来の包装箱では、このような問題に対処することができないため、改善が求められていた。
【０００４】
【特許文献１】特開平６−１８６６７９号公報
【特許文献２】特開平８−１１４８８９号公報
【特許文献３】特開２００３−１５６８２０号公報
【発明の開示】
【発明が解決しようとする課題】
【０００５】
従来の包装箱が有している上記の問題点を考慮して、本発明は、構造がシンプルで安価であり、組立、分解、廃棄が容易で再封時の遮光性に優れる感光記録材料用包装箱を提供することを課題とした。特に、感光記録材料を収納した内装袋の開封端から保存中に光が進入しない感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決し得ることを見い出した。
本発明の感光記録材料用包装箱は、遮光性内装袋によって密封された感光記録材料を収容する本体部と、前記感光記録材料の取り出し口に設けられる蓋体部とが一体に形成された再封機能を備える包装箱であり、前記蓋体部には、開封した遮光性内装袋の開封側端部と一体に折り畳まれる挟持遮光フラップが設けられていることを特徴とするものである（第１の態様）。
【０００７】
上記発明において、前記蓋体部は、本体部の背板の上部端辺に接続される外覆天板と、外覆天板に接続される前覆板とを備えており、前記挟持遮光フラップは、前覆板に対して接続されていてもよい（第２の態様）。
また上記発明において、前記挟持遮光フラップは、前覆板に対して接続され、前覆板と同程度の長さ寸法を有する基端側挟持遮光フラップを備えていてもよい（第３の態様）。
また上記発明において、前記基端側挟持遮光フラップには、外覆天板と同程度の長さ寸法を有する自由端側挟持遮光フラップが接続されていてもよい（第４の態様）。
【０００８】
また上記発明において、前記前覆板の前面乃至前記本体部の前板上部の裏面には、弱粘着性で再剥離可能な粘着材が塗工乃至貼設されていてもよい（第５の態様）。
また上記発明において、前記本体部の前板上部には、屈曲部に沿って開閉し得る補助開閉フラップが設けられていてもよい（第６の態様）。
また上記発明において、前記補助開閉フラップには、前記前覆板に形成されている差込スリットに挿入される差込片が設けられていてもよい（第７の態様）。
【発明の効果】
【０００９】
第１の態様によれば、挟持遮光フラップによって遮光性内装袋の開封側端部はくるむようにしていっしょに折り畳まれる。従って遮光性内装袋の開封側端部には、９０°以上折り曲げられた折曲げ部が形成され、再封時における遮光性が保たれる。また遮光性内装袋の開封側端部は元の形状に復帰しようとする弾性力を有するから、この弾性力が作用して再封時の遮光性が保たれる。
第２の態様によれば、本体部内に収容された遮光性内装袋の開封側端部は、本体部の背板の内壁面に沿って前方に引き出され、蓋体部の外覆天板及び前覆板の内壁面に沿って前方にループ状に引き出された後、挟持遮光フラップによって再封時の遮光性が保たれる。
【００１０】
第３の態様によれば、基端側挟持遮光フラップの長さ寸法が前覆板と同程度に設定されているから、基端側挟持遮光フラップを１８０°折り曲げて前覆板の内壁面に接するように折り畳むことが可能となる。従って遮光性内装袋の開封側端部は、基端側挟持遮光フラップにくるまれるようにして１８０°折り曲げられ、再封時の遮光性が保たれる。
第４の態様によれば、自由端側挟持遮光フラップの長さ寸法が外覆天板と同程度に設定されているから、自由端側挟持遮光フラップを基端側挟持遮光フラップに対して９０°折り曲げて外覆天板の内壁面に接するように折り畳むことが可能となる。従って遮光性内装袋の開封側端部は、２回に亘って折り曲げられるようになるから再封時の遮光性が一層高められる。
【００１１】
第５の態様によれば、前覆板の前面乃至前板上部の裏面に粘着材を塗工乃至貼設したから、再封作業を簡単、短時間で行うことが可能となる。
第６の態様によれば、前覆板の出し入れ及び遮光性内装袋に収容された感光記録材料の出し入れが容易になる。
第７の態様によれば、蓋体部や補助開閉フラップが不用意に開くことが防止され、再封時の遮光性が更に向上する。
【発明を実施するための最良の形態】
【００１２】
以下において、本発明の感光記録材料用包装箱について、図面を参照しながら詳細に説明する。なお、本明細書において「〜」を用いて表される数値範囲は、「〜」の前後に記載される数値を下限値及び上限値として含む範囲を意味する。
【００１３】
図１は、本発明に係る感光記録材料用包装箱（以下、包装箱という）の閉封時における全体を示す斜視図、図２は、包装箱の開封時における全体を示す斜視図である。また図３は、当初梱包時の包装箱の蓋体部周辺を拡大して示す側断面図、図４は再封時の包装箱の蓋体部周辺を拡大して示す側断面図である。
【００１４】
尚、本明細書において、「上下」、「左右」及び「前後」の語を使用する場合には、図１に矢印で示す方向を意味するものとし、これは全ての実施形態に関しても同様である。また、本明細書において谷折れ罫線あるいは山折れ罫線によって仕切られた部位について使用する「幅寸法」とは、当該罫線に沿う方向の寸法、「長さ寸法」とは、当該罫線と直交する方向の寸法を意味するものとする。
【００１５】
本発明の包装箱２０１は、遮光性内装袋（以下、内装袋という）２１７（図３参照）によって密封された感光記録材料Ｍを収容する本体部２０３と、感光記録材料Ｍの取り出し口に設けられる蓋体部２０５とが一体に形成された再封機能を備える包装箱である。
【００１６】
尚、内装袋２１７は遮光性を有するものであればその詳細は特に制限されない。例えば、好ましい内装袋として、遮光機能を持つ黒ポリ層と、防湿機能を持つ機能性フィルム及び接着層とから構成される内装袋を例示することができる。このような内装袋はアルミ箔などの金属を使用していないため環境保護に寄与しうるものであるが、折りグセが付き難くて折り目を保持できないために開封後の開封端から光が進入しやすいという問題を抱えていた。本発明はこのような問題を抱えている内装袋と組み合わせて使用するときに特に効果を発揮する。なお本発明は、従来から使用されているアルミ箔と紙の層を含む内装袋にも適用して、その遮光性をさらに高めることができる。
本発明の包装箱２０１としては段ボールが使用でき、好ましい材料として、Ｅフルート（例えば段数が約９４／３００ｍｍ）やＦフルート（例えば段数が約１２０／３００ｍｍ）のようなマイクロフルート段ボールや、板紙を挙げることができる。
【００１７】
本体部２０３は、前板２０７、左側板２０９、右側板２１１、背板２１３及び底板２１５を備えており、蓋体部２０５は外覆天板２２１及び前覆板２２３を備えている。前板２０７の中程より幾分上方の位置には屈曲部として、下に凸となるように円弧状に形成された筋押し２２５が設けられている。また前板２０７の上部には筋押し２２５に沿って開閉し得る補助開閉フラップ２２７が設けられている。
【００１８】
補助開閉フラップ２２７は、前面に位置するパネル状の前面フラップ２２９と、前面フラップ２２９の左右の側辺を後方に折り曲げることによって形成されているサイドフラップ２３１、２３３とを備えることによって形成されている。前面フラップ２２９の上方中央には半楕円弧状に切り欠かれた指掛け部２３５が３個所設けられている。またサイドフラップ２３１、２３３の上辺及び下辺には補助開閉フラップ２２７の開閉操作を円滑にするための面取り乃至曲面加工が施されている。
【００１９】
尚、筋押し２２５を上述のように円弧状に形成することにより、補助開閉フラップ２２７を前方に回動させた時、筋押し２２５の周辺が若干内方へ沈み込むように変形すると共に、この変形が元の状態に復帰しようとする反作用により、補助開閉フラップ２２７は常時閉鎖方向への付勢力を受けていて、自動的に閉鎖状態に戻り、閉鎖状態を維持するように作用する。
【００２０】
本体部２０３における左側板２０９と右側板２１１は、前板２０７の左右の側辺を後方に折り曲げることによって形成されている左内側板２３７、右内側板（図示せず）と、背板２１３の左右の側辺を前方に折り曲げることによって形成されている左外側板２４１、右外側板２４３とによって構成されている。また左外側板２４１、右外側板２４３の中央には筋押し２２５の左右の端部付近から下端にかけて易分解構造の一例であるミシン目２４５が形成されている。
【００２１】
そしてミシン目２４５より前方に位置する左内側板２３７、右内側板（図示せず）と左外側板２４１、右外側板２４３の部位は図示を省略した接着剤によって強固に接着されている。一方、ミシン目２４５より後方に位置する左内側板２３７及び右内側板（図示せず）と、これらがそれぞれ対向する左外側板２４１及び右外側板２４３の後方側には接着剤は塗布されていないため、ミシン目２４５を切り離すことによって本発明の包装箱１は廃棄時においてシート状に展開でき、廃棄作業を容易にしている。
【００２２】
蓋体部２０５における外覆天板２２１は、本体部２０３における背板２１３の上部端辺に接続されており、前覆板２２３は、上記蓋天板２２１の自由端側の端辺に接続されている。また外覆天板２２１と前覆板２２３の境界に位置する山折れ罫線２４９の中央部には、差込スリット２５１が形成されている。また外覆天板２２１には、指掛け突起２５３が形成されている。そしてこのような蓋体部２０５には本発明の包装箱１の特徴的構成である挟持遮光フラップ２４７が設けられている。
【００２３】
挟持遮光フラップ２４７は開封した内装袋２１７の開封側端部２１９を挟持した状態で一体に折り畳まれることによって再封時の遮光性を確保するという役割を担う部材であり、上記前覆板２２３の自由端側の端辺に接続される。また前覆板２２３と挟持遮光フラップ２４７の境界に位置する山折れ罫線２５５の中央部には、円弧状のスリットを刻設することによって係止舌片２５７が形成されている。この係止舌片２５７には弱粘着性で再剥離可能な粘着材２５９が塗工乃至貼設されている。粘着材２５９としては、再剥離性を有する糊、接着剤、両面テープ等が使用できる。
【００２４】
挟持遮光フラップ２４７は、前覆板２２３に対して接続される基端側挟持遮光フラップ２６１と、谷折れ罫線２６５を挟んで基端側挟持遮光フラップ２６１に接続される自由端側挟持遮光フラップ２６３とを備えることによって構成されている。また基端側挟持遮光フラップ２６１は前覆板２２３と同程度の長さ寸法を有するように形成されており、自由端側挟持遮光フラップ２６３は外覆天板２２１と同程度の長さ寸法を有するように形成されている。尚、基端側挟持遮光フラップ２６１と自由端側挟持遮光フラップ２６３の長さ寸法をこのように設定することによって図４に示すように挟持遮光フラップ２４７と内装袋２１７の開封側端部２１９を再封時においていっしょに折り畳むことが可能となる。
【００２５】
次にこのようにして構成される本発明の包装箱２０１における（１）当初の梱包形態と、（２）再封時の梱包形態を対比して説明する。
（１）当初の梱包形態（図３参照）
当初の梱包形態では図３に示す如く、前覆板２２３と、基端側挟持遮光フラップ２６１と自由端側挟持遮光フラップ２６３は山折れ罫線２５５及び谷折れ罫線２６５によって折り曲げられておらず直線状に平坦な状態で位置している。この状態では前覆板２２３、基端側挟持遮光フラップ２６１及び自由端側挟持遮光フラップ２６３は、補助開閉フラップ２２７における前面フラップ２２９の内壁面に接しており、最小の厚さ（段ボール１枚分の厚さ）になっている。従って運搬時等における振動を受けたとしても前覆板２２３及び挟持遮光フラップ２４７のへたりや変形等は生じない。
【００２６】
（２）再封時の梱包形態（図４参照）
一方、再封時は図４に示す如く、挟持遮光フラップ２４７は内装袋２１７の開封側端部２１９をくるむようにして一体に折り畳まれるから内装袋２１７の開封側端部２１９は挟持遮光フラップ２４７に包まれるように挟持されることと、２個所の折曲げ部が形成されることによって再封時の遮光性が確保されている。また前覆板２２３と補助開閉フラップ２２７との隙間は粘着材２５９によって密封されているから、包装箱１の遮光性は更に高められている。
【００２７】
次に部分的構成を異にする他の形態について簡単に言及する。図５は、挟持遮光フラップ２４７を基端側挟持遮光フラップ２６１のみによって形成した形態を示している。このような構成とした場合にも、内装袋２１７の開封側端部２１９は挟持遮光フラップ２４７によって挟持され、くるまれることによって、開封側端部２１９に折曲げ部が形成されるから再封時の遮光性は維持される。また図示は省略するが基端側挟持遮光フラップ２６１と自由端側挟持遮光フラップ２６３との間に１枚または複数枚の中間挟持遮光フラップを設けて更に多数回、折り畳みながら開封側端部２１９を挟持することも可能である。
【００２８】
図６は補助開閉フラップ２２７の上端片の中央に差込片２６７を設けた形態を示している。このような構成を採用した場合には差込片２６７を差込スリット２５１に差し込むことで、蓋体部２０５と補助開閉フラップ２２７との密封性を更に高め、遮光性を向上させることが可能となる。
【産業上の利用可能性】
【００２９】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００３０】
【図１】本発明に係る感光記録材料用包装箱の、閉封時における全体を示す斜視図である。
【図２】本発明に係る感光記録材料用包装箱の、開封時における全体を示す斜視図である。
【図３】当初梱包時の包装箱の蓋体部周辺を拡大して示す側断面図である。
【図４】再封時の包装箱の蓋体部周辺を拡大して示す側断面図である。
【図５】部分的構成を異にする包装箱の他の形態を示す側断面図である。
【図６】部分的構成を異にする包装箱の他の形態を示す斜視図である。
【図７】従来の包装箱の構造を示す斜視図である。
【符号の説明】
【００３１】
２０１  （感光記録材料用）包装箱、２０３  本体部、２０５  蓋体部、２０７  前板
２０９  左側板、２１１  右側板、２１３  背板、２１５  底板、
２１７  （遮光性）内装袋、２１９  開封側端部、２２１  外覆天板、２２３  前覆板
２２５  筋押し（屈曲部）、２２７  補助開閉フラップ、２２９  前面フラップ、
２３１  サイドフラップ（左側の）、２３３  サイドフラップ（右側の）
２３５  指掛け部、２３７  左内側板、２４１  左外側板、２４３  右外側板
２４５  ミシン目（易分解構造）、２４７  挟持遮光フラップ、２４９  山折れ罫線
２５１  差込スリット、２５３  指掛け突起、２５５  山折れ罫線、２５７  係止舌片
２５９  粘着材、２６１  基端側挟持遮光フラップ
２６３  自由端側挟持遮光フラップ、２６５  谷折れ罫線、２６７  差込片
Ｍ  感光記録材料
【図１】
2005289492.tif 000003
【図２】
2005289492.tif 000004
【図３】
2005289492.tif 000005
【図４】
2005289492.tif 000006
【図５】
2005289492.tif 000007
【図６】
2005289492.tif 000008
【図７】
2005289492.tif 000009